(57)【特許請求の範囲】
【請求項１】
内壁を形成する内ケース、上端部を形成する肩部材、外壁を形成する外ケース及び底部を形成する底ケースからなる容器本体と、該容器本体に対し開閉自在な蓋部材と、前記内ケースと前記底ケースとの間に設けられ、ワークコイル、該ワークコイルを上面に載置するコイル保持部材及びフェライトコアからなる加熱手段と、スイッチ、表示部及び各種電子制御素子を取り付ける基板と、該基板を保持するための基板保持部材とを備えてなる炊飯器において、前記コイル保持部材と前記基板保持部材と略直角に位置して一体成形し、前記基板保持部材は、前方側に位置するとともに、電源側及び操作側の基板保持部材を一体に設け、且つ前記コイル保持部材は、フェライトコア取付部を一体に設け、前記内ケースと前記コイル保持部材と前記底ケースとをビスで同時に一体的に固定することを特徴とする炊飯器。
【請求項２】
前記基板保持部材の下端部にファンを設け、該ファンの風を基板側とコイル側に分流させることを特徴とする請求項１記載の炊飯器。
【請求項３】
内壁を形成する内ケース、上端部を形成する肩部材、外壁を形成する外ケース及び底部を形成する底ケースからなる容器本体と、該容器本体に対し開閉自在な蓋部材と、前記内ケースと前記底ケースとの間に設けられ、ワークコイル、該ワークコイルを上面に載置するコイル保持部材及びフェライトコアからなる加熱手段と、スイッチ、表示部及び各種電子制御素子を取り付ける基板と、該基板を保持するための基板保持部材とを備えてなる炊飯器において、前記コイル保持部材と前記基板保持部材とを連結部材を介して一体成形し、前記基板保持部材の下端部に平面視で該基板保持部材の左右側に位置するようにファンを設けるとともに、前記連結部材の中央部に前記ファンの風を前記内ケースと前記コイル保持部材との間に供給可能な開放空間を設け、該ファンの風を基板側とコイル側に分流させることを特徴とする炊飯器。
【発明の詳細な説明】
【０００１】
【発明が属する技術分野】
本願発明は、ワークコイルによる誘導加熱方式を採用してなる炊飯器に関し、特に、ワークコイルを取り付けるためのコイル保持部材と、各種電子制御素子等を配置した基板を取り付けるための基板保持部材とを一体成形してなる炊飯器に関するものである。
【０００２】
【従来の技術】
近時、炊飯器の需要が増え、それにつれて多くの機能が付加されるようになり、例えば、加熱手段としてワークコイルを用いた誘導加熱方式が採用され、緻密で効率的な炊飯制御並びにその後の長時間に渡る保温制御を確実に行うことができる等、炊飯器は、使い勝手の良い製品の一つとして広く利用されている。
【０００３】
一方、購買者は、使い勝手がよいという機能の面は勿論のこと、同じ機能を有する製品であれば、少しでも安価なものを求める傾向にあり、炊飯器においてもその生産コストを低減することは、喫緊な課題になっている。
【０００４】
従来の炊飯器を図７に基づいてその概略を説明する。炊飯器１は、図に示すように、容器本体２と、該容器本体２の開口部を開閉自在な蓋部材３とによって構成されている。該蓋部材３は、上蓋３１及び下蓋３２からなり、その間に形成される空間には断熱材３３が介在される。蓋部材３の中央部には、弁部材３４が設けられ、内部圧が所定以上に上昇した場合には、内部の蒸気を蒸気通路３５を介して蒸気口３６より外部に放出する。また、蓋部材３は、その下部に肩ヒータ３７によって加熱される放熱板３８を備えており、飯米等の内容物を上部より効率的に加熱する。更に、該蓋部材３は、既に公知のヒンジ機構３９により容器本体２に対して開閉自在、且つ着脱自在に形成されており、容器本体２より取り外すことにより丸洗いを可能にしている。
【０００５】
前記容器本体２は、外壁を形成する外ケース４、該外ケース４内にあり内壁を形成する内ケース５、前記内外ケース４、５の上端部を形成する肩部材６、炊飯器１の底部を形成する底ケース８，及び前記内ケース５の底部を形成する内底ケース９からなる。そして前記肩部材６は、外ケース４及び内ケース５に符号１０で示す係止手段により無理嵌め結合されるとともに、図示しないビスにより強固に連結される。
【０００６】
前記外ケース４は、底ケース８に係止手段１１等により強固に固定される。また、前記内ケース５の底部には、内底ケース９が下方より嵌合されており、両者５、９は図示しないビスにより一体的に結合される。このように内ケース５と内底ケース９とが別体に形成される理由は、底部分の内底ケース９のみを耐熱性に優れたポリエチレンテレフタレート（ＰＥＴ）を用い、それ以外の部分である内ケース５をＰＥＴより安いポリプロピレン（ＰＰ）を用いる方が有利であるからである。
【０００７】
そして、前記内底ケース９の下面には、該内底ケース９の形状に沿う形状でコイル保持部材１２が配置され、その下部には、複数個のフェライトコア１３が放射状に設けられるとともに、前記コイル保持部材１２上の上面或いはコーナーを形成する傾斜面にはそれぞれ底部コイル１４及びコーナーコイル１５が載置される。そして該コイル保持部材１２が取り付けられ、複数のビス１６により底ケース８に締結された後においては、底部コイル１４及びコーナーコイル１５は、内底ケース９とコイル保持部材１２とで狭持される。
【０００８】
符号１７は、内ケース５内に収納される内鍋であり、該内鍋１７を内ケース５内に収納した状態で、内底ケース９の中央部に内部に向かって突出するセンターセンサー１８の頂部を押圧する。すると該センターセンサー１８が押圧されることにより制御回路が通電され、炊飯器１の加熱制御が可能となる。
【０００９】
加熱制御を行うための操作装置２０は、炊飯器１の前方側に形成される前方空間１９の上方部に形成され、その下方には、保持部材２２に取り付けられ、各種スイッチ及び表示装置が配置される操作基板２１が取り付けられるとともに、該保持部材２２の下方には、各種電子部品が配置される電源基板２３を取り付けるための保持部材２４が、ビス２５等により外ケース４及び肩部材６に複数箇所で一体的に取り付けられる。また、符号２６は、底ケース８に設けられる冷却ファンである。
【００１０】
炊飯器１は、このような構造を有しており、各部品の取り付けは、炊飯器１を裏返して行われる。ところで最近の炊飯器は、持ち運びを容易にする等の要望に応えるため、内部空間をできるだけ小さくし、全体を小型化する傾向にある。
【００１１】
ところが、従来の炊飯器１の構造は、前記したように前記操作基板及び電源基板用の保持部材２２，２４は、一体に形成されているとはいえ、その取り付けは、外ケース４及び肩部材６に複数箇所でビス２５を締結することにより行われており、内部空間が小さくなるということはその取り付けを益々困難にし、生産コストを押し上げる要因になっていた。
【００１２】
また、従来の炊飯器１は、センターセンサー１８を図示しない取付板に取り付けたり、前記フェライトコア１３にしてもコイル保持部材１２に対して別途取り付け具を用いて取り付けていた。
【００１３】
更に、前記したように冷却ファン２６が、底ケース８に設けられるということは、炊飯器１の全高を押し上げることになるとともに、そのような位置では、操作基板及び電源基板方向に冷却風を指向させたり、或いはその風をコイル側へ分流するには別途整流板等の部品が必要になり、全体を効率的に冷却するには、やはり生産コストがアップする原因となっていた。
【００１４】
【発明が解決しようとする課題】
本願発明の目的は、ワークコイルを取り付けるためのコイル保持部材と、各種電子制御素子等を配置した基板を取り付けるための基板保持部材とを一体成形し、或いはセンターセンサ取付部及びフェライトコア取付部をも一体成形し、更に、基板保持部材の下部に冷却ファンを取り付け、冷却風の分流を容易に行わしめることにより、従来の問題を解決することであり、より詳細には、請求項記載の構成を採用することにより、誘導加熱部品の取り付けを容易、且つ簡素化するとともに、生産コストを低減してなる誘導加熱式の炊飯器を提供することである。
【００１５】
【課題を解決するための手段】
上記目的を達成するため、本願発明は以下の構成を採用する。
【００１６】
請求項１に係る発明では、内壁を形成する内ケース、上端部を形成する肩部材、外壁を形成する外ケース及び底部を形成する底ケースからなる容器本体と、該容器本体に対し開閉自在な蓋部材と、前記内ケースと前記底ケースとの間に設けられ、ワークコイル、該ワークコイルを上面に載置するコイル保持部材及びフェライトコアからなる加熱手段と、スイッチ、表示部及び各種電子制御素子を取り付ける基板と、該基板を保持するための基板保持部材とを備えてなる炊飯器において、前記コイル保持部材と前記基板保持部材と略直角に位置して一体成形し、前記基板保持部材は、前方側に位置するとともに、電源側及び操作側の基板保持部材を一体に設け、且つ前記コイル保持部材は、フェライトコア取付部を一体に設け、前記内ケースと前記コイル保持部材と前記底ケースとをビスで同時に一体的に固定する構成。そしてこのような構成により、コイル保持部材と基板保持部材とを一部品として製作できるとともに、その取り付けもコイル保持部材を固定すれば基板保持部材も固定されるというようにより簡単に行える。
【００１７】
また、前記コイル保持部材と前記基板保持部材とは、略直角に位置するため、従来のコイル保持部材及び基板保持部材の配置箇所にそれぞれ位置させることができるため、炊飯器の形状及び部品のレイアウトを変更する必要がない。
また、前記基板保持部材は、前方側に位置するとともに、電源側及び操作側の基板保持部材を一体に設け、且つ前記コイル保持部材は、フェライトコア取付部を一体に設けるため、電源側基板保持部材、操作側基板保持部材、コイル保持部材及びフェライトコア取付部を一部品として製作でき、その取り付けもコイル保持部材を固定すれば他の部材等も固定されるというようにより簡単になる。
また、前記内ケースと前記コイル保持部材と前記底ケースとをビスで同時に一体的に固定するため、その組み立てが簡単になる。
【００１８】
請求項２に係る発明では、前記基板保持部材の下端部にファンを設け、該ファンの風を基板側とコイル側に分流させる構成。そしてこのような構成により、基板保持部材をファン取付部及び冷却風分流板として兼用でき、基板側及びコイル側の冷却が簡単になる。
【００１９】
請求項３に係る発明では、内壁を形成する内ケース、上端部を形成する肩部材、外壁を形成する外ケース及び底部を形成する底ケースからなる容器本体と、該容器本体に対し開閉自在な蓋部材と、前記内ケースと前記底ケースとの間に設けられ、ワークコイル、該ワークコイルを上面に載置するコイル保持部材及びフェライトコアからなる加熱手段と、スイッチ、表示部及び各種電子制御素子を取り付ける基板と、該基板を保持するための基板保持部材とを備えてなる炊飯器において、前記コイル保持部材と前記基板保持部材とを連結部材を介して一体成形し、前記基板保持部材の下端部に平面視で該基板保持部材の左右側に位置するようにファンを設けるとともに、前記連結部材の中央部に前記ファンの風を前記内ケースと前記コイル保持部材との間に供給可能な開放空間を設け、該ファンの風を基板側とコイル側に分流させる構成。
そしてこのような構成により、コイル保持部材と基板保持部材とを一部品として製作できるとともに、その取り付けもコイル保持部材を固定すれば基板保持部材も固定されるというようにより簡単に行える。
また、基板保持部材をファン取付部及び冷却風分流板として兼用でき、基板側及びコイル側の冷却が簡単になる。
【００２０】
【発明の実施の形態】
図１は、炊飯器に本願発明を適用した断面図を示す。炊飯器１は、図１に示すように大別して、内部に内鍋１１を収納可能な容器本体２と、該容器本体２の上部開口を開閉自在な蓋部材３とからなる。該蓋部材３は、ポリプロピレン（ＰＰ）等からなる樹脂製で、上蓋３１ａ、下蓋３１ｂ及び放熱板３２から構成される。そしてその間に形成される内部空間には真空断熱構造体として形成される断熱材３３が介在される。前記放熱板３２の上面には、ヒータ３４が配置され、該放熱板３２をヒータ３４により加熱し、内鍋１１内の内容物を上部から加熱する。なお、前記真空断熱構造体３３は、ＳｉＯ２，ＺｒＯ２、Ａｌ２Ｏ３等の低熱伝導性を有する粒子状の多孔質セラミックス粉末を二枚のアルミニウム等の金属シートで包み込み、内部を真空引きすることにより形成される断熱材であり、概略−５０℃から２００℃の温度範囲での断熱性を向上することができるものである。なお、この断熱材３３は、このような真空断熱構造体でなくても良い。
【００２１】
また、蓋部材３の中央部には、図示しない弁部材が設けられ、内部圧が所定以上に上昇した場合には、内部の蒸気を蒸気通路３５を介して蒸気口３６より外部に放出する。更に、蓋部材３の後方側には、既に公知のバネ材を内在したヒンジ機構３７が設けられ、炊飯器１の前方側上部に設けられるロック部材３８の施錠ないし開錠作用により蓋部材３を容器本体２に対して開閉自在にするとともに、該蓋部材３の開放状態で蓋部材３を上方に持ち上げることにより着脱自在に形成してなり、蓋部材３を容器本体２より取り外すことによりその丸洗いを可能にしている。
【００２２】
前記容器本体２は樹脂製で、外壁を形成する外ケース４、該外ケース４内にあり内壁を形成する内ケース５、それら内外ケース４、５の上端部を形成する肩部材６、炊飯器１の底部を形成する底ケース８，及び前記内ケース５の底部を形成する内底ケース９からなる。
【００２３】
容器本体２のうち、外壁を形成する外ケース４、内壁を形成する内ケース５及び上端部を形成する肩部材６は、一体形成され、その材質も例えば、ポリプロピレン（ＰＰ）が用いられ、全体として本体ケース４ａを形成する。また、容器本体２の底部を形成する底ケース８は、ポリプロピレン（ＰＰ）が用いられ、その前方側には、吸気口８ａが、その後方側には排気口８ｂが設けられるとともに、その底部には複数個の脚部８ｄが設けられている。
【００２４】
前記外ケース４は、底ケース８に対し図示しない係合突部及び係合溝部よりなる係止手段１０を無理嵌めすることにより結合され、更に内底ケース９に形成される後述するネジ付ボス９ａにビス８ｃでビス止めすることにより本体ケース４ａ、底ケース８及び内底ケース９は強固に連結される。
【００２５】
前記肩部材６には、前記ヒンジ機構３７及び取手７が設けられるとともに、前記内ケース５の外周部には、内鍋１１の内容物を保温加熱するための保温ヒータ１４がアルミ箔１４ａによって貼り付けられている。また、内ケース５の下端内周部には、図６に示すようなヘリコイド結合用の複数個の円弧状の係合突起５ａが設けられている。
【００２６】
前記内底ケース９は、樹脂製で、例えば、耐摩耗性、耐薬品性及び耐熱性に優れたポリエチレンテレフタレート（ＰＥＴ）から形成され、図６にも示すように内鍋１１の外形状とほぼ同様なお椀形状を呈し、その上端外周部には、リング状の外周リブ９ｃが形成されるとともに、該外周リブ９ｃの底部には、複数個の係合溝９ｂ、またその中央部には、後述のセンタセンサが進退可能な開孔９ｄが穿孔され、その底部外面には、図６にも示すように複数個、好ましくは３個のネジ付ボス９ａが突出形成されている。
【００２７】
前記係合溝９ｂは、側壁９ｂ１、水平な底壁９ｂ２及び側壁９ｂ１と反対側に位置する開口９ｂ３を有してなり、前記内ケース５の下端内周部に設けられる係合突起５ａとの間でヘリコイド結合が行われる。図６で説明すると、まず内底ケース９を矢印▲１▼で示す方向に内ケース５内に上方より嵌め込み、内底ケース９の上端外周部に形成される外周リブ９ｃを内ケース５の下端内周部に形成される係合突起５ａ上に載置する。次いで内底ケース９を矢印▲２▼で示す方向にこれ以上回動できなくなるまで回動する。即ち、内底ケース９の係合溝９ｂの開口９ｂ３内に内ケース５の係合突起５ａを嵌合することにより両者をヘリコイド結合するものである。このように内ケース５と内底ケース９とを別体に形成することにより、従来同様底部分を形成する内底ケース９のみを耐熱性に優れたポリエチレンテレフタレート（ＰＥＴ）を用い、それ以外の部分である内ケース５をＰＥＴより軽いポリプロピレン（ＰＰ）を用いることにより全体の重量をより軽減することができる。
【００２８】
なお、本願発明は、前記したように本体ケース４ａとして外壁を形成する外ケース４、内壁を形成する内ケース５及び上端部を形成する肩部材６を一体形成しているため、図７で説明した従来例のようにそれらを別体とした場合に必要とした無理嵌めを行うための係止手段及びビスを省略できるため、部品点数が少なくなるとともに製造工程が短縮され、生産コストを確実に低減できる。
【００２９】
また、内ケース５と内底ケース９とを別部材にするとともに、両者の結合を前記したようなヘリコイド方式を採用することにより、図７で説明した内ケース５の底部に内底ケース９を嵌合する従来例のものではその結合に別途必要としたビス等の連結手段が不要になるため、やはり部品点数が少なくなるとともに製造工程が短縮され、生産コストが確実に低減する。
【００３０】
前記内底ケース９は前記したようにその底部外面には、複数個のネジ付ボス９ａが突出形成されており、内底ケース９が内ケース５内に収納され、両者がヘリコイド結合によって一体化された後、図１に示すようにビス８ｃにより底ケース８とネジ付ボス９ａとが結合され、最終的には内底ケース９は、底ケース８とビス８ｃにより強固に結合されることになる。即ち、説明した構成は、底ケース８と内底ケース９とで本体ケース４ａを狭持固定する構成であり、このような構成を採用する限りにおいては、内ケース５と内底ケース９との結合は、かならずしもヘリコイド方式のような固定手段でなくても良く、例えば、内底ケース９の上端外周部に形成される外周リブ９ｃを、内ケース５の下端内周部に形成される係合突起５ａ上に載置するだけのものであっても良い。
【００３１】
続いて説明すると、符号１１は、内ケース５内に収納される内鍋であり、加熱源として誘導加熱方式を用いた場合、内部に誘起される渦電流が大となる鉄製等の高磁性材料で成形するのが有利となるが、重量が重くなくため軽量で、且つ表皮抵抗の小さいアルミ製を用いている。そのため該内鍋１１の底面の全周にわたり誘導加熱を有効に行うことのできる表皮抵抗の大きいステンレス１２を圧着し、底部のみを二重構造にしている。なお、このステンレス１２を圧着するものに代え、同じく表皮抵抗の大きい鉄を溶着するものでも良い。
【００３２】
符号１３は、センターセンサーであり、後述のコイル保持部材４０に一体的に取り付けられており、設置された状態ではその先端は、前記内底ケース９の中央部に穿孔される開孔９ｄより上方に突出しており、前記内鍋１１を内ケース５内に収納すると内鍋１１の中央底面が突出しているセンターセンサー１３の頂部を押圧する。すると該センターセンサー１３は、押し下げられ、制御回路を通電し、炊飯器１の加熱制御を可能にする。このようにセンターセンサー１３は、炊飯器１の安全装置をも兼ねている。
【００３３】
前記内底ケース９の下方には、ワークコイル４６を配置保持するためのコイル保持部材４０が設けられる。該コイル保持部材４０は、樹脂製で、コイル受台４１、センターセンサー取付部４２、フェライトコア取付部４３及び筒状体４５が一体に取り付けられてなる。
【００３４】
前記コイル受台４１は、水平なリング状からなり、その外周端部には垂直な環状の周壁４１ａが形成されるとともに、該コイル受台４１の上面には、図２に示す平コイル４６が載置され、該平コイル４６は、周壁４１ａにより水平方向の動きが規制される。前記センターセンサー取付部４２は、その中央に前記センターセンサー１３が配置されるとともに、コイル保持部材４０の中央に位置し、その上方には前記内底ケース９の中央部に穿設される開孔９ｄが嵌合し、前記したように内鍋１１が内底ケース９内に収納配置された時、内鍋１１の底部中央がセンターセンサー取付部４２の中央に設けられるセンターセンサー１３を押し下げることになる。
【００３５】
前記フェライトコア取付部４３は、コイル受台４１及びセンターセンサー取付部４２を結んで複数本、本実施の形態では４本放射状に一体形成され、図４に示すように縦断面く字状を呈する。その形状を同図に基づいて説明すると、該フェライトコア取付部４３は、水平部４３ａ及び先端部４３ｂからなり、水平部４３ａは、相対向する垂直壁４３ｄ、４３ｄを有し、下方を開放した横断面コ字状からなるとともに、その相対向する垂直壁４３ｄ、４３ｄの中央部には、その先端に内側に突き出た突出部４３ｃ１を有する係止突起４３ｃが設けられる。また、前記先端部４３ｂは、水平部４３ａに対し、上方に向かって鈍角的に延長されるとともに、その横断面は矩形の筒形状に形成されている。フェライトコア取付部４３の形状をこのようにすることにより高強度のものを得ることができる。
【００３６】
符号４４は、フェライトコアであり、例えば酸化鉄を主原料とし、高透磁率の材料を焼結したものであり、ワークコイル４６の磁束を増幅させる。そして該フェライトコア４４は、図４に示すように水平部４４ａ及び先端部４４ｂを有し、縦断面く字状で、横断面矩形状の前記フェライトコア取付部４３とほぼ同形状からなり、次のようにフェライトコア取付部４３に取り付ける。
【００３７】
即ち、フェライトコア取付部４３を逆さにし、図４に示すようにフェライトコア取付部４３の上方にフェライトコア４４を置く。そしてまず縦断面く字状のフェライトコア４４の先端部４４ｂをフェライトコア取付部４３の先端部４３ｂに形成される筒内に挿入し、次いでその全体を白抜きの矢印で示すようにフェライトコア取付部４３内に押し込む。するとフェライトコア４４の水平部４４ａの底部がフェライトコア取付部４３の係止突起４３ｃの突出部４３ｃ１上端に当接する。かまわずフェライトコア４４を押し込む。するとフェライトコア４４の水平部４４ａは、前記係止突起４３ｃの突出部４３ｃ１を乗り越え、その内部に押し込まれる。その時点で係止突起４３ｃの突出部４３ｃ１は、フェライトコア４４の水平部４４ａの上端に密に係合し、フェライトコア４４を強固に固定する。この場合、フェライトコア４４の最先端は、フェライトコア取付部４３の筒状の先端とほぼ同位置か、或いはそれ以上に飛び出しても良い。いずれにしてもこのような係合手段を採用することにより、余計な部品を用いることなく、且つその取り付けを簡略化することができる。
【００３８】
前記筒状体４５は、図３に示すように３個設けられるが、必要に応じて増減可能である。該筒状体４５は、その上部が開口する断面コ字状からなり、コイル保持部材４０の取り付け時には、図１に示すように内底ケース９の底部に形成されるネジ付ボス９ａが該筒状体４５内に挿入される。
【００３９】
その組付けについて説明すると、前記したようにコイル受台４１、センターセンサー取付部４２、フェライトコア取付部４３及び筒状体４５を有するコイル保持部材４０を予め一体のものとして形成しておく（後記するようにこのコイル保持部材４０には、更に基板保持部材５０が一体的に形成される。）。そしてコイル受台４１上に平コイル４６を載置し、接着剤等で仮止めする。
【００４０】
次いで炊飯器１を逆さにし、コイル保持部材４０も逆さにするとともに、逆さにした内底ケース９の上から平コイル４６を載せた状態でコイル保持部材４０を被せ、内底ケース９の中央部に穿設した開孔９ｄ内にセンターセンサー１３を挿入するとともに、内底ケース９の底部に形成されるネジ付ボス９ａを筒状体４５内に挿入する。その後、底ケース８を被せ、該底ケース８の外部からビス８ｃを螺合し、該ビス８ｃで底ケース８とコイル保持部材４０と内底ケース９とを同時に一体的に固定する。勿論この動作により、前記したように底ケース８と内底ケース９とで本体ケース４ａが同時に一体的に固定されることにもなる。
【００４１】
本願発明は、平コイル４６を内鍋１１の底部にのみ用いるものとして説明した。その理由は、コイルは高価であり、できるだけ安価にするためである。しかしながら、平コイル４６のみを用いるものではあるが、コーナーコイルを用いるものに近い機能を奏することができる。その理由を述べると、図１に示すようにフェライトコア４４の先端は、内鍋１１のコーナー部まで伸びているとともに、内鍋１１の底部に圧着されるステンレス１２の先端も内鍋１１のコーナー部まで伸びており、別言すれば、フェライトコア４４が平コイル４６の外周部を取り囲むように内鍋１１の形状に沿って上方にまで屈曲形成されており、内鍋１１のコーナー部にまで誘導加熱が生起されるためである。
【００４２】
なお、図５に示すものは、図４の変形例であり、前記したコーナー部にまでの誘導加熱の生起を更に高めるものである。その形状を図５に基づいて説明すると、該フェライトコア取付部４３は、水平部４３ａ及び先端部４３ｂからなり、水平部４３ａは、相対向する垂直壁４３ｄ、４３ｄを有し、下方を開放した横断面コ字状からなるとともに、その相対向する垂直壁４３ｄ、４３ｄの中央部には、その先端に内側に突き出た突出部４３ｃ１を有する係止突起４３ｃが設けられる。また、前記先端部４３ｂは、水平部４３ａに対し、上方に向かって鈍角的に延長されるとともに、その形状は、水平部４３ａと同様の形状をしている。即ち、相対向する垂直壁４３ｄ、４３ｄを有し、下方を開放した横断面コ字状からなるとともに、その相対向する垂直壁４３ｄ、４３ｄの中央部には、その先端に内側に突き出た突出部４３ｃ１を有する係止突起４３ｃが設けられる。
【００４３】
そこで用いられるフェライトコア４４は、図５に示すように水平部４４ａ及び先端部４４ｂを有し、縦断面く字状で、横断面矩形状の前記フェライトコア取付部４３とほぼ同形状からなるとともに、その先端部４４ｂの先端４４ｃは左右方向に伸びており、Ｔ形状を呈している。そして次のように該フェライトコア４４を前記フェライトコア取付部４３に取り付ける。
【００４４】
即ち、フェライトコア取付部４３を逆さにし、図５に示すようにフェライトコア取付部４３の上方にフェライトコア４４を置く。そしてまずフェライトコア４４をやや前方に移動した状態で白抜き矢印▲１▼で示すように下降させる。するとフェライトコア４４の水平部４４ａの底部がフェライトコア取付部４３の係止突起４３ｃの突出部４３ｃ１上端に当接する。かまわずフェライトコア４４を押し込む。するとフェライトコア４４の水平部４４ａは、前記係止突起４３ｃの突出部４３ｃ１を乗り越え、その内部に押し込まれる。
【００４５】
次いで白抜き矢印▲２▼で示す方向にフェライトコア４４をセンターセンサー取付部４２側に押し込む。するとフェライトコア４４の先端部４４ｂの底部がフェライトコア取付部４３先端部４３ｂの係止突起４３ｃの突出部４３ｃ１上端に当接する。かまわずフェライトコア４４を押し込む。するとフェライトコア４４の先端部４４ｂは、前記係止突起４３ｃの突出部４３ｃ１を乗り越え、その内部に押し込まれる。その結果、フェライトコア４４の水平部４４ａ及び先端部４４ｂは、フェライトコア取付部４３の水平部４３ａ及び先端部４３ｂに形成されるそれぞれの係止突起４３ｃの突出部４３ｃ１によって強固に固定される。なお、この場合、フェライトコア４４の左右方向に伸びている先端４４ｃは、フェライトコア取付部４３の先端部４３ｂより上方に突出しており、図４のものに比べ、図１の対応において内鍋１１のコーナー部外周に沿う形態を有することになり、図４のものに比べ誘導加熱効果をより向上させることができる。
【００４６】
符号５０は、樹脂製の基板保持部材であり、上端部において一体化した上端部から前方へ傾斜する操作基板保持部材６０と、上端部から下方に垂直に配設される電源基板保持部材７０からなり、その全体は、図１及び図２に示すように片側鏃形状（レ字の点対称形状に相当。）を呈している。炊飯器１の本体ケース４ａは、図１に示すようにロック部材３９が位置する前方側に前方空隙部５１を有しており、基板保持部材５０は、この前方空隙部５１に配置される。
【００４７】
前記操作基板保持部材６０には、操作基板６１がビス６２によって取り付けられ、該操作基板６１には、各種スイッチボタン６４及び表示装置６５等が取り付けられている。そしてこれら各種スイッチボタン６４及び表示装置６５は、操作パネル６３近傍に位置し、操作パネル６３上から各種スイッチボタン６４を操作し、或いは操作パネル６３を通して表示装置６５上の表示を視認することができるように配設される。
【００４８】
また前記電源基板保持部材７０には、電源基板７１がビス７２によって取り付けられ、該電源基板７１には、誘導加熱に必要なパワートランジスタ（ＩＧＢＴ）、各種駆動回路等の各種電子回路素子７６が取り付けられている。これら各種電子回路素子７６には、例えば前記ＩＧＢＴ等のように発熱する素子があり、これら発熱素子には、放熱を助長するためのヒートシンクとしてのフィン７３がビス７２により電源基板保持部材７０に連結固定され、更に該フィン７３を冷却するための冷却ファン７４も連結固定される。
【００４９】
該冷却ファン７４は、モータを内在してなる垂直軸７４ａ、その垂直軸７４ａ回りに配置される複数枚の羽根７４ｆ、及びこれら垂直軸７４ａ及び羽根７４ｆを囲む上下が開放した円柱状のファンケース７４ｂからなり、  下部開口７４ｃから空気を導入し、上部開口７４ｄから上方へ向かって空気を押し出す。
【００５０】
この冷却ファン７４は、フィン７３の下方で、且つ電源基板７１の下端部にビス７５により電源基板保持部材７０に連結固定されるが、その配置は、図１及び図３に示すように平面視で電源基板７１の左右側に位置するようになされる。そのため、冷却ファン７４を駆動すると、矢印▲１▼で示すように底ケース８の吸気口８ａから吸引される空気は、ファンケース７４ｂの下部開口７４ｃより矢印▲２▼で示すように上部開口７４ｄを介して上方に押し出されることになるが、上部開口７４ｄは電源基板７１によりフィン側上部開口７４ｄ１及びコア側上部開口７４ｄ２に区画されているため、矢印▲４▼で示す方向にも流れるというように分流されて流れ、それぞれを効率的に冷却する。勿論その分流比率は必要により可変可能である。なお、図１に示すように電源基板７１のコア側においてファンケース７４ｂの側壁に窓７４ｅを設け、この窓７４ｅより矢印▲３▼で示すようにコア側の分流分を確保することもできる。この手段は、コア側上部開口７４ｄ２が確保できない時に特に有効である。いずれにしても電源基板保持部材７０をファン取付部及び冷却風の分流板として兼用できるため、部品低減に資する。
【００５１】
本願発明の炊飯器１は、図示していないが、本体ケース４ａの側部と電源基板保持部材７０側部との間に隙間が形成されており、フィン側上部開口７４ｄ１より上方へ供給され、各種電子回路素子７６を冷却した冷却風は反転したり、或いはその一部は途中で分流して該隙間を回り込む。そして隙間よりコア側に流れ、コイル４６及びフェライトコア４４等を更に冷却し、底ケース８の後方部に形成される排気口８ｂより外部に排出され、その冷却効果を高める。
【００５２】
ところで上記では、コイル受台４１、センターセンサー取付部４２及びコア取付部４３等からなるコイル保持部材４０と、操作基板保持部材６０及び電源基板保持部材７０からなる基板保持部材５０とを別々に説明したが、本願発明は、これらコイル保持部材４０及び基板保持部材５０を更に一体成形し、１つの部品保持部材１００としたことに特徴を有する。
【００５３】
即ち、コイル保持部材４０と基板保持部材５０とを平板状の連結部材５２で一体的に連結してなり、これらの全てで１つの部品保持部材１００を形成する。この部品保持部材１００は同時に一体成形される。そして、この部品保持部材１００は、基板保持部材５０を炊飯器１の前方に位置し、コイル保持部材４０を炊飯器１の後方に位置するとともに、コイル保持部材４０と基板保持部材５０とが略直角になるように配置してなる。
【００５４】
なお、前記連結部材５２の幅は、強度を加味して決定されるが、その中央部には図３に示すように開放空間５３が設けられ、この開放空間５３を介してコア側上部開口７４ｄ２を介して押し出される冷却風をコア側に矢印▲４▼及び▲５▼で示す方向に供給する。矢印▲３▼で示す方向の風は、ファンケース７４ｂの側部に設けられる窓７４ｅから押し出される冷却風の流れを示す。
【００５５】
また、連結部材５２の両側端部には、基板保持部材５０からコイル保持部材４０に向かって高さが低くなる補強リブ５４が設けられ、該補強リブ５４は、本来の補強機能に加え、冷却風の案内板としての機能も奏している。即ち、矢印▲５▼で示す方向に供給される冷却風は、該補強リブ５４に当たり、その方向をコア側に変更され、コア等を直接冷却する。
【００５６】
本願発明は、上記実施例の構成に限定されるものではなく、発明の要旨を逸脱しない範囲において適宜設計変更可能であることは勿論であり、例えば上記においては、ワークコイル４６は、底部にある平コイルのみとして説明したが、コーナーコイルを有するものであっても良い。
【００５７】
【発明の効果】
請求項１に係る発明では、コイル保持部材と基板保持部材とを一体成形することにより、コイル保持部材と基板保持部材とを一部品として製作できるため、部品点数を低減できる。また、その取り付けもコイル保持部材を固定すれば基板保持部材も固定されるというように簡単に行うことができ、且つその取り付け時間も大幅に短縮することができる。更に、基板保持部材を従来のように外ケース及び肩部材にビスを用いて取り付ける必要がないため、内部空間を低減することができ、その製造コストを確実に低減することができる。
【００５８】
また、前記コイル保持部材と前記基板保持部材とは、略直角に位置するため、従来のコイル保持部材及び基板保持部材の配置箇所にそれぞれ位置させることができ、炊飯器の形状及び部品のレイアウトを変更する必要がないため、最小の設計変更で行うことができる。
また、基板保持部材を前方側に位置するとともに、電源側及び操作側の基板保持部材を一体に設け、且つコイル保持部材にフェライトコア取付部を一体に設けることにより、電源側基板保持部材、操作側基板保持部材、コイル保持部材及びフェライトコア取付部を一部品として製作できるため、部品点数をより低減できる。そしてその取り付けもコイル保持部材を固定すれば他の部材等も固定されるというようにより簡単に行うことができ、且つその取り付け時間を大幅に短縮することができる。
また、前記内ケースと前記コイル保持部材と前記底ケースとをビスで同時に一体的に固定するため、その取り付けを容易に行うことができるとともに、取り付け時間を大幅に短縮することができる。
【００５９】
請求項２に係る発明では、基板保持部材の下端部にファンを設け、このファンの風を基板側とコイル側に分流させることにより、ファンの取付部品を特に設ける必要がないため、それだけ生産コストが低減できる。また、基板保持部材をファン取付部及び冷却風の分流板として兼用できるため、整流板等の部品が必要なくなり、更に、基板側及びコイル側の冷却をより簡単に行うことができる。
【００６０】
請求項３に係る発明では、コイル保持部材と基板保持部材とを連結部材を介して一体成形し、基板保持部材の下端部に平面視で該基板保持部材の左右側に位置するようにファンを設けるとともに、連結部材の中央部にファンの風を内ケースとコイル保持部材との間に供給可能な開放空間を設け、該ファンの風を基板側とコイル側に分流させることにより、ファンの取付部品を特に設ける必要がないため、それだけ生産コストが低減できる。また、基板保持部材をファン取付部及び冷却風の分流板として兼用できるため、整流板等の部品が必要なくなり、更に、基板側及びコイル側の冷却をより簡単に行うことができる。
【図面の簡単な説明】
【図１】本願発明の炊飯器の全体断面図。
【図２】本願発明の各部品を一体的に取り付けた部品保持部材の斜視図。
【図３】図２の平面図。
【図４】コイル保持部材を下方から見たフェライトコアの取り付け状態を示す斜視図。
【図５】図４の変形斜視図（フェライトコアの変形例）。
【図６】内ケースに内底ケースを取り付ける状態を示す斜視図。
【図７】従来例の炊飯器の断面図。
【符号の説明】
１…炊飯器          ２…容器本体          ３…蓋部材
４…外ケース        ４ａ…本体ケース      ５…内ケース
５ａ…係合突起      ６…肩部材            ７…取手
８…底ケース        ８ａ…吸気口          ８ｂ…排気口
８ｄ…脚部          ９…内底ケース        ９ａ…ネジ付ボス
９ｂ…係合溝        ９ｃ…外周リブ        ９ｄ…開孔
１０…係止手段      １１…内鍋            １２…ステンレス
１３…センターセンサー  １４…保温ヒータ  １４ａ…アルミ箔
３１ａ…上蓋        ３２…放熱板          ３３…真空断熱構造体
３４…ヒータ        ３５…蒸気通路        ３６…蒸気口
３７…ヒンジ機構    ３９…ロック部材      ４０…コイル保持部材
４１…コイル受台    ４１ａ…周壁        ４２…センターセンサー取付部
４３…フェライトコア取付部      ４４…フェライトコア
４３ａ，４４ａ…水平部          ４３ｂ，４４ｂ…先端部
４３ｃ…係止突起    ４３ｄ…垂直壁        ４４ｃ…先端
４５…筒状体        ４６…ワークコイル    ５０…基板保持部材
５１…前方空隙部    ５２…連結部材        ５３…開放空間
５４…補強リブ      ６０…操作基板保持部材  ６１…操作基板
６３…操作パネル    ６４…スイッチボタン  ６５…表示装置
７０…電源基板保持部材    ７１…電源基板    ７３…フィン
７４…冷却ファン    ７６…電子回路素子    １００…部品保持部材
７４ａ…垂直軸      ７４ｂ…ファンケース  ７４ｃ…下部開口
７４ｄ…上部開口    ７４ｄ１…フィン側上部開口
７４ｄ２…コア側上部開口      ７４ｅ…窓      ７４ｆ…羽根
【図１】
0003582507.tif 000002
【図２】
0003582507.tif 000003
【図３】
0003582507.tif 000004
【図４】
0003582507.tif 000005
【図５】
0003582507.tif 000006
【図６】
0003582507.tif 000007
【図７】
0003582507.tif 000008